(57)【特許請求の範囲】
【請求項１】
モバイル装置が選択的に接続される情報処理装置であって、
現在時刻を管理する時計手段と、
表示装置と、
当該情報処理装置に接続されたモバイル装置から転送された表示画面を、前記表示装置に表示するモバイル装置画面表示手段と、
表示時刻注意喚起手段とを有し、
当該表示時刻注意喚起手段は、前記モバイル装置画面表示手段がモバイル装置から転送された表示画面の前記表示装置への表示を開始する際に、当該情報処理装置に接続されたモバイル装置から、当該モバイル装置が管理している現在時刻を取得し、取得した現在時刻と、前記時計手段が管理する現在時刻とが所定レベル以上異なっている場合に、前記表示装置に表示される現在時刻が、前記時計手段で管理する現在時刻と異なる旨を通知する音声メッセージを出力することを特徴とする情報処理装置。
【請求項２】
請求項１記載の情報処理装置であって、
前記表示時刻注意喚起手段は、前記音声メッセージにおいて、前記表示装置に表示される現在時刻と、前記時計手段で管理する現在時刻との時間差を通知することを特徴とする情報処理装置。
【請求項３】
請求項１または２記載の情報処理装置であって、
前記時計手段は、ユーザからオフセット時間の設定を受け付け、ユーザからオフセット時間が設定されている場合には、ユーザからオフセット時間が設定されていない場合に現在時刻として管理する時刻に、設定されたオフセット時間を加えた時刻を現在時刻として管理することを特徴とする情報処理装置。
【請求項４】
モバイル装置が選択的に接続される情報処理装置であって、
現在時刻を管理する時計手段と、
表示装置と、
当該情報処理装置に接続されたモバイル装置から転送された表示画面を、前記表示装置に表示するモバイル装置画面表示手段と、
表示時刻注意喚起手段とを有し、
前記時計手段は、ユーザからオフセット時間の設定を受け付け、ユーザからオフセット時間が設定されている場合には、ユーザからオフセット時間が設定されていない場合に現在時刻として管理する時刻に、設定されたオフセット時間を加えた時刻を現在時刻として管理し、
前記表示時刻注意喚起手段は、前記モバイル装置画面表示手段がモバイル装置から転送された表示画面の前記表示装置への表示を開始する際に、前記時計手段にオフセット時間が設定されている場合に、前記表示装置に表示される現在時刻が、前記時計手段で管理する現在時刻と異なる可能性がある旨を通知する音声メッセージを出力することを特徴とする情報処理装置。
【請求項５】
請求項４記載の情報処理装置であって、
前記表示時刻注意喚起手段は、前記音声メッセージにおいて、記表示装置に表示される現在時刻が、前記オフセット時間が反映されていない現在時刻であることを通知することを特徴とする情報処理装置。
【請求項６】
モバイル装置が選択的に接続される情報処理装置であって、
現在時刻を管理する時計手段と、
表示装置と、
当該情報処理装置に接続されたモバイル装置から転送された表示画面を、前記表示装置の表示領域の一部に表示するモバイル装置画面表示手段と、
現在時刻表示手段とを有し、
前記時計手段は、ユーザからオフセット時間の設定を受け付け、ユーザからオフセット時間が設定されている場合には、ユーザからオフセット時間が設定されていない場合に現在時刻として管理する時刻に、設定されたオフセット時間を加えた時刻を現在時刻として管理し、
当該現在時刻表示手段は、前記モバイル装置画面表示手段がモバイル装置から転送された表示画面を前記表示装置に表示している期間中、前記時計手段が管理している現在時刻を、前記表示装置の前記モバイル装置から転送された表示画面が表示されていない領域に表示すると共に、前記モバイル装置画面表示手段がモバイル装置から転送された表示画面を前記表示装置に表示している期間中にのみ、設定されている前記オフセット時間を、前記表示装置の前記モバイル装置から転送された表示画面が表示されていない領域に表示することを特徴とする情報処理装置。
【請求項７】
請求項１、２、３、４、５または６記載の情報処理装置であって、
当該情報処理装置は、自動車に搭載される車載の情報処理装置であることを特徴とする情報処理装置。
【請求項８】
表示装置と現在時刻を管理する時計手段とを備え、モバイル装置が選択的に接続されるコンピュータによって読み取られ実行されるコンピュータプログラムであって、
当該コンピュータプログラムは、前記コンピュータを、
当該コンピュータに接続されたモバイル装置から転送された表示画面を、前記表示装置に表示するモバイル装置画面表示手段と、
表示時刻注意喚起手段として機能させるコンピュータプログラムであって、
当該表示時刻注意喚起手段は、前記モバイル装置画面表示手段がモバイル装置から転送された表示画面の前記表示装置への表示を開始する際に、当該コンピュータに接続されたモバイル装置から、当該モバイル装置が管理している現在時刻を取得し、取得した現在時刻と、前記時計手段が管理する現在時刻とが所定レベル以上異なっている場合に、前記表示装置に表示される現在時刻が、前記時計手段で管理する現在時刻と異なる旨を通知する音声メッセージを出力することを特徴とするコンピュータプログラム。
【請求項９】
表示装置と現在時刻を管理する時計手段とを備え、モバイル装置が選択的に接続されるコンピュータによって読み取られ実行されるコンピュータプログラムであって、
前記時計手段は、ユーザからオフセット時間の設定を受け付け、ユーザからオフセット時間が設定されている場合には、ユーザからオフセット時間が設定されていない場合に現在時刻として管理する時刻に、設定されたオフセット時間を加えた時刻を現在時刻として管理し、
当該コンピュータプログラムは、前記コンピュータを、
当該コンピュータに接続されたモバイル装置から転送された表示画面を、前記表示装置に表示するモバイル装置画面表示手段と、
表示時刻注意喚起手段として機能させるコンピュータプログラムであって、
前記表示時刻注意喚起手段は、前記モバイル装置画面表示手段がモバイル装置から転送された表示画面の前記表示装置への表示を開始する際に、前記時計手段にオフセット時間が設定されている場合に、前記表示装置に表示される現在時刻が、前記時計手段で管理する現在時刻と異なる可能性がある旨を通知する音声メッセージを出力することを特徴とするコンピュータプログラム。
【請求項１０】
表示装置と現在時刻を管理する時計手段とを備え、モバイル装置が選択的に接続されるコンピュータによって読み取られ実行されるコンピュータプログラムであって、
前記時計手段は、ユーザからオフセット時間の設定を受け付け、ユーザからオフセット時間が設定されている場合には、ユーザからオフセット時間が設定されていない場合に現在時刻として管理する時刻に、設定されたオフセット時間を加えた時刻を現在時刻として管理し、
当該コンピュータプログラムは、前記コンピュータを、
当該コンピュータに接続されたモバイル装置から転送された表示画面を、前記表示装置の表示領域の一部に表示するモバイル装置画面表示手段と、
現在時刻表示手段として機能させるコンピュータプログラムであって、
前記現在時刻表示手段は、前記モバイル装置画面表示手段がモバイル装置から転送された表示画面を前記表示装置に表示している期間中、前記時計手段が管理している現在時刻を、前記表示装置の前記モバイル装置から転送された表示画面が表示されていない領域に表示すると共に、前記モバイル装置画面表示手段がモバイル装置から転送された表示画面を前記表示装置に表示している期間中にのみ、設定されている前記オフセット時間を、前記表示装置の前記モバイル装置から転送された表示画面が表示されていない領域に表示することを特徴とするコンピュータプログラム。
【発明の詳細な説明】
【技術分野】
【０００１】
本発明は、接続されたモバイル装置から転送された画面を表示する情報処理装置における時刻表示の技術に関するものである。
【背景技術】
【０００２】
情報処理装置において、当該情報処理装置に接続されたモバイル装置から転送された画面を表示する技術としては、情報処理装置において、モバイル装置から転送された画面を情報処理装置の表示装置に表示すると共に、情報処理装置で受け付けたユーザ操作をモバイル装置に転送し、モバイル装置において情報処理装置から転送されたユーザ操作に応じた動作を行う技術が知られている（たとえば、特許文献１、２）。
【０００３】
また、情報処理装置における時刻表示に関する技術としては、正確な時刻にユーザから設定されたオフセット時間を加えた時刻を、現在時刻として表示する技術が知られている（たとえば、特許文献３、４）。
【先行技術文献】
【特許文献】
【０００４】
【特許文献１】特開２０１２-２５３７３６号公報
【特許文献２】特開２０１２-２０２７０６号公報
【特許文献３】特開平  １０-１７８６６６号公報
【特許文献４】特開平  １１-２３４７５８号公報
【発明の概要】
【発明が解決しようとする課題】
【０００５】
情報処理装置において、当該情報処理装置の表示装置に、モバイル装置から転送された画面の表示する場合、次のような問題が生じることがある。
すなわち、情報処理装置が管理している現在時刻が正確な時刻にオフセット時間を加えた時刻であって、当該情報処理装置が管理している現在時刻が、モバイル装置が管理している現在時刻と異なる場合、モバイル装置から転送された画面にモバイル装置が管理している現在時刻の表示が含まれていると、ユーザが、このモバイル装置から転送された画面が情報処理装置の表示装置に表示されていることから、当該モバイル装置から転送された画面に表されている現在時刻が、情報処理装置が管理している正確な時刻にオフセット時間を加えた時刻であると錯覚して現在時刻を誤認してしまうことがある。
【０００６】
なお、このようなモバイル装置が管理している現在時刻が情報処理装置の表示装置に表示されることによりユーザの現在時刻の誤認を生じる問題は、表示スペースの関係や、その他の理由により、情報処理装置において、モバイル装置から転送された画面を表示と並行して、情報処理装置自身が管理している現在時刻を情報処理装置の表示装置に表示できない場合、情報処理装置の表示装置にモバイル装置が管理している現在時刻のみが表示されることとなるため顕著に生じる。
【０００７】
そこで、本発明は、ユーザの現在時刻の誤認が生じないように、接続されたモバイル装置から転送された画面を表示する情報処理装置を提供することを課題とする。
【課題を解決するための手段】
【０００８】
前記課題達成のために、本発明は、モバイル装置が選択的に接続される情報処理装置に、現在時刻を管理する時計手段と、表示装置と、当該情報処理装置に接続されたモバイル装置から転送された表示画面を、前記表示装置に表示するモバイル装置画面表示手段と、表示時刻注意喚起手段とを備えたものである。ここで、当該表示時刻注意喚起手段は、前記モバイル装置画面表示手段がモバイル装置から転送された表示画面の前記表示装置への表示を開始する際に、当該情報処理装置に接続されたモバイル装置から、当該モバイル装置が管理している現在時刻を取得し、取得した現在時刻と、前記時計手段が管理する現在時刻とが所定レベル以上異なっている場合に、前記表示装置に表示される現在時刻が、前記時計手段で管理する現在時刻と異なる旨を通知する音声メッセージを出力するものである。
【０００９】
なお、このような情報処理装置は、前記表示時刻注意喚起手段において、前記音声メッセージにおいて、前記表示装置に表示される現在時刻と、前記時計手段で管理する現在時刻との時間差を通知するように構成してもよい。
【００１０】
また、このような情報処理装置は、前記時計手段は、ユーザからオフセット時間の設定を受け付け、ユーザからオフセット時間が設定されている場合には、ユーザからオフセット時間が設定されていない場合に現在時刻として管理する時刻に、設定されたオフセット時間を加えた時刻を現在時刻として管理するものであってもよい。
【００１１】
また、本発明は、前記課題達成のために、モバイル装置が選択的に接続される情報処理装置に、現在時刻を管理する時計手段と、表示装置と、当該情報処理装置に接続されたモバイル装置から転送された表示画面を、前記表示装置に表示するモバイル装置画面表示手段と、表示時刻注意喚起手段とを設けたものである。ここで、前記時計手段は、ユーザからオフセット時間の設定を受け付け、ユーザからオフセット時間が設定されている場合には、ユーザからオフセット時間が設定されていない場合に現在時刻として管理する時刻に、設定されたオフセット時間を加えた時刻を現在時刻として管理するものである。また、前記表示時刻注意喚起手段は、前記モバイル装置画面表示手段がモバイル装置から転送された表示画面の前記表示装置への表示を開始する際に、前記時計手段にオフセット時間が設定されている場合に、前記表示装置に表示される現在時刻が、前記時計手段で管理する現在時刻と異なる可能性がある旨を通知する音声メッセージを出力するものである。
【００１２】
ここで、このような情報処理装置は、前記表示時刻注意喚起手段は、前記音声メッセージにおいて、記表示装置に表示される現在時刻が、前記オフセット時間が反映されていない現在時刻であることを通知するように構成してもよい。
【００１３】
以上のような情報処理装置によれば、接続されたモバイル装置が管理する現在時刻が、情報処理装置の時計手段が管理する現在時刻と異なる時刻である場合や、異なる時刻である可能性がある場合には、接続されたモバイル装置から転送された表示画面を情報処理装置が表示装置に表示する際に、表示画面中に表される現在時刻に対する注意を喚起する音声メッセージを出力するので、ユーザの現在時刻の誤認を抑制することができる。
【００１４】
さらに、本発明は、前記課題達成のために、モバイル装置が選択的に接続される情報処理装置に、現在時刻を管理する時計手段と、表示装置と、当該情報処理装置に接続されたモバイル装置から転送された表示画面を、前記表示装置の表示領域の一部に表示するモバイル装置画面表示手段と、現在時刻表示手段とを設けたものである。ただし、当該現在時刻表示手段は、前記モバイル装置画面表示手段がモバイル装置から転送された表示画面を前記表示装置に表示している期間中、前記時計手段が管理している現在時刻を、前記表示装置の前記モバイル装置から転送された表示画面が表示されていない領域に表示するものである。
【００１５】
このような情報処理装置によれば、接続されたモバイル装置から転送された表示画面を情報処理装置が表示装置に表示する際に、情報処理装置の時計手段が管理している現在時刻を、前記表示装置の前記モバイル装置から転送された表示画面が表示されていない領域に表示する。したがって、モバイル装置から転送された表示画面の表示を崩すことなく、情報処理装置の時計手段が管理している現在時刻を表示し、ユーザの現在時刻の誤認を抑制することができる。
【００１６】
なお、以上の各情報処理装置は、自動車に搭載される車載の情報処理装置であってよい。
【発明の効果】
【００１７】
以上のように、本発明によれば、ユーザの現在時刻の誤認が生じないように、接続されたモバイル装置から転送された画面を表示する情報処理装置を提供することができる。
【図面の簡単な説明】
【００１８】
【図１】本発明の実施形態に係る車載装置とモバイル装置の構成を示すブロック図である。
【図２】本発明の実施形態に係る車載装置の配置を示す図である。
【図３】本発明の実施形態に係るモバイル装置と車載装置の表示例を示す図である。
【図４】本発明の実施形態に係る表示時刻注意喚起処理を示すフローチャートである。
【図５】本発明の実施形態に係る表示時刻注意喚起処理の他の例を示すフローチャートである。
【図６】本発明の実施形態に係る車載装置の表示例を示す図である。
【図７】本発明の実施形態に係る車載装置の表示例を示す図である。
【発明を実施するための形態】
【００１９】
以下、本発明の実施形態について説明する。
図１に、本実施形態に係る車載装置１とモバイル装置２の構成を示す。
図示するように、車載装置１は、入力装置１０１、表示装置１０２、マイクやスピーカなどを備えた音声入出力装置１０３、端末インタフェース１０４、車載装置１のオペレーティングシステム１０５、オペレーティングシステム１０５上で稼働するアプリケーション、記憶装置１０６、時計装置１０７、ＧＰＳ受信機などの、その他の周辺装置１０８とを備えている。
【００２０】
ここで、車載装置１は、上述したアプリケーションとして、モバイルＩＯ処理アプリケーション１１１、表示時刻注意喚起アプリケーション１１２、時刻管理アプリケーション１１３、カーナビゲーションアプリケーションなどのその他の各種アプリケーション１１４を備えている。
【００２１】
また、時計装置１０７は現在時刻を管理する時計であり、周辺装置１０８として備えたＧＰＳ受信機でＧＰＳ衛星から取得した時刻と、時刻管理アプリケーション１１３によって設定されたオフセット時間に基づいて、真の現在時刻にオフセット時間を加えた時刻を現在時刻として管理している。なお、時計装置１０７は、オフセット時間が設定されていない場合には、真の現在時刻を現在時刻として管理する。
【００２２】
そして、時刻管理アプリケーション１１３は、ユーザから時間の指定を受け付け、指定された時間を、オフセット時間として時計装置１０７に設定するアプリケーションである。ユーザは、このような時刻管理アプリケーション１１３を利用して、５分前行動や１分前行動のために、真の現在時刻の５分後の時刻や真の現在時刻の１分後の時刻を、時計装置１０７に現在時刻として管理させたり、現在位置と異なるタイムゾーンの時刻を、時計装置１０７に現在時刻として管理させることができる。
【００２３】
ただし、以上のような車載装置１は、ハードウエア的には、ＣＰＵやメモリなどを備えたコンピュータを用いて構成されるものであり、オペレーティングシステム１０５や、各アプリケーション１１１-１１３は、当該コンピュータが、所定のコンピュータプログラムを実行することにより実現されるものである。また、時計装置１０７も、時刻管理アプリケーション１１３と一体化して、当該コンピュータが、所定のコンピュータプログラムを実行することにより実現されるものとしてもよい。または、時計装置１０７を、ＧＰＳ受信機でＧＰＳ衛星から取得した時刻を基準として現時点の時刻を計時するものとし、時刻管理アプリケーション１１３において、時計装置１０７よって計時されている現時点の時刻に、オフセット時間を加えた時刻を現在時刻として管理するようにしてもよい。
【００２４】
次に、モバイル装置２は、ユーザによって携帯されるスマートフォンやタブレット装置などのモバイル装置２であり、図示するように、操作部２０１、ディスプレイ２０２、マイクやスピーカなどを備えた音声入出力部２０３、外部インタフェース２０４、モバイル装置２のＯＳであるところのモバイルオペレーティングシステム２０５、モバイルオペレーティングシステム２０５上で稼働するアプリケーションであるモバイルアプリケーション、記憶部２０６、移動電話網にアクセスするための移動通信装置２０７、時計部２０８、ＧＰＳ受信機や無線ＬＡＮインタフェースなどの、その他の周辺デバイス２０９を備えている。
【００２５】
ここで、時計部２０８は現在時刻を管理する時計であり、移動通信装置２０７や無線ＬＡＮインタフェースを介してNTP(Network Time Protocol)サーバなどから取得した現在時刻や、周辺デバイス２０９として備えたＧＰＳ受信機でＧＰＳ衛星から取得した現在時刻に基づいて、真の現在時刻を管理している。
【００２６】
また、モバイル装置２は、モバイルアプリケーションとして、各モバイルアプリケーションの一覧を示すメインメニューを表示して、メインメニューでユーザから指定されたモバイルアプリケーションを起動するメインメニューアプリケーション２１１と、移動通信装置２０７や音声入出力部２０３や操作部２０１を用いた移動電話機能を提供する移動電話アプリケーション２１２と、その他の各種モバイルアプリケーション２１３とを備えている。
【００２７】
なお、モバイル装置２は、ハードウエア的には、ＣＰＵやメモリなどを備えたコンピュータを用いて構成されるものあり、モバイルオペレーティングシステム２０５や、モバイルアプリケーション２１１-２１３などは、当該コンピュータが、所定のコンピュータプログラムを実行することにより実現されるものである。
【００２８】
ここで、車載装置１は、たとえば、図２に示すように、自動車のダッシュボードに表示装置１０２の表示面を自動車後方に向けて配置される。
そして、自動車内にユーザによって持ち込まれたモバイル装置２は車載装置１と、車載装置１の端末インタフェース１０４とモバイル装置２の外部インタフェース２０４を介して、有線もしくは無線通信によって相互に接続される。
【００２９】
さて、このような構成において、モバイル装置２と車載装置１が接続されていないときには、モバイル装置２は、図３ａ１に示すように、モバイル装置２のディスプレイ２０２にモバイルアプリケーションが出力する表示画面を表示する。ここで、図３ａ１は、メインメニューアプリケーション２１１の表示画面であるメインメニュー画面をディスプレイ２０２に表示しているようすを示しており、図示するように、モバイルアプリケーションが出力し、モバイル装置２のディスプレイ２０２に表示される表示画面には、時計部２０８で管理している現在時刻の表示３０１を含むことがある。
【００３０】
また、モバイル装置２と車載装置１が接続されていないときには、車載装置１は、図３ａ２に示すように、車載装置１の表示装置１０２にアプリケーションが出力する表示画面３１０を表示する。ここで、図３ａ２は、カーナビゲーションアプリケーションの表示画面を表示装置１０２に表示しているようす示しており、図示するように、アプリケーションが出力し、車載装置１の表示装置１０２に表示される表示画面３１０は、時計装置１０７で管理している現在時刻の表示３１１を含む。
【００３１】
一方、モバイル装置２と車載装置１が接続されると、自動的に、または、接続後のユーザの所定の操作に応答して、モバイル装置２は外部ＩＯモードに、車載装置１はモバイルＩＯモードに遷移する。
【００３２】
そして、図３ｂ１に示すように、外部ＩＯモードに遷移したモバイル装置２のモバイルオペレーティングシステム２０５は、モバイルアプリケーションが出力する表示画面のディスプレイ２０２への表示を停止し、モバイルアプリケーションが出力する表示画面の、接続した車載装置１への転送を開始する。
【００３３】
一方、モバイルＩＯモードに遷移すると、車載装置１のモバイルＩＯ処理アプリケーション１１１は、モバイルＩＯ処理を開始し、モバイルＩＯ処理において、図３ｂ２に示すように、モバイル装置２から車載装置１に転送されたモバイル装置２の表示画面３２０を車載装置１の表示装置１０２の全面に表示する。ここで、このようにして、車載装置１の表示装置１０２に表示されるモバイル装置２の表示画面３２０には、モバイル装置２の時計部２０８で管理されている現在時刻の表示３２１が含まれる場合がある。
【００３４】
また、車載装置１のモバイルＩＯ処理アプリケーション１１１は、モバイルＩＯ処理において、入力装置１０１を用いて表示装置１０２の表示画面に対して行われたユーザ操作等を、モバイル装置２に転送する。
【００３５】
モバイル装置２のモバイルオペレーティングシステム２０５は、車載装置１のモバイルＩＯ処理アプリケーション１１１から転送されたユーザ操作を受け取ると、車載装置１に転送している表示画面を出力しているモバイルアプリケーションにユーザ操作を通知し、通知を受けたモバイルアプリケーションは通知されたユーザ操作に応じた処理を行う。
【００３６】
以下、車載装置１の表示時刻注意喚起アプリケーション１１２が行う表示時刻注意喚起処理について説明する。
図４に、この表示時刻注意喚起処理の手順を示す。
図示するように、この処理において、車載装置１の表示時刻注意喚起アプリケーション１１２は、車載装置１が上述したモバイルＩＯモードに遷移したならば（ステップ４０２）、モバイル装置２のモバイルオペレーティングシステム２０５と通信を行い、モバイル装置２の時計部２０８で管理されている現在時刻を取得する（ステップ４０４）。
【００３７】
そして、車載装置１の時計装置１０７で管理している現在時刻と、モバイル装置２の時計部２０８で管理されている現在時刻との時間差が所定のしきい値Ｔｈ（たとえば、３０秒）超であるかどうかを調べ（ステップ４０６）、時間差がしきい値Ｔｈでなければ、車載装置１のモバイルＩＯモードの終了を待ち（ステップ４１４）、ステップ４０２からの処理に戻る。
【００３８】
なお、モバイル装置２と車載装置１の接続が解除されたときや、ユーザの所定の操作に応答して、モバイル装置２は外部ＩＯモードを終了し、車載装置１はモバイルＩＯモードを終了する。また、外部ＩＯモードを終了したモバイル装置２は、ディスプレイ２０２の表示を、図３ａに示すようなモバイルアプリケーションが出力する表示画面の表示に復帰し、モバイルＩＯモードを終了した車載装置は、表示装置１０２の表示を図３ａ２に示すようなアプリケーションが出力する表示画面の表示に復帰する。
【００３９】
一方、時間差が所定のしきい値Ｔｈ（たとえば、３０秒）超であれば（ステップ４０６）、表示装置１０２に表示される時刻への注意を喚起する音声メッセージを音声入出力装置１０３から出力する（ステップ４０８）。
【００４０】
ここで、ステップ４０８で出力する音声メッセージは、たとえば、モバイル装置２の時計部２０８で管理されている現在時刻が、車載装置１の時計装置１０７で管理している現在時刻よりｎ分遅れているものとして、「モバイル装置の時計の時刻が表示されます。車載装置１の時計よりｎ分遅れていますので注意してください。」といった内容のものとする。
【００４１】
そして、車載装置１のモバイルＩＯモードの終了を待ち（ステップ４１０）、表示装置１０２に表示される時刻が、車載装置１の時計装置１０７で管理している現在時刻に復帰することを案内する音声メッセージを音声入出力装置１０３から出力し（ステップ４１２）、ステップ４０２からの処理に戻る。
【００４２】
ここで、ステップ４１２で出力する音声メッセージは、たとえば、「車載装置の時計の時刻表示に復帰します。車載装置の時計に行った時刻調整が反映されます。」といった内容のものとする。
【００４３】
以上、車載装置１の表示時刻注意喚起アプリケーション１１２が行う表示時刻注意喚起処理について説明した。
ところで、この表示時刻注意喚起アプリケーション１１２が行う表示時刻注意喚起処理としては、図４に示した処理に代えて、図５に示す処理を行うようにしてもよい。
すなわち、図５に示すように、車載装置１の表示時刻注意喚起アプリケーション１１２は、車載装置１が上述したモバイルＩＯモードに遷移したならば（ステップ５０２）、車載装置１の時計装置１０７に、時刻管理アプリケーション１１３によってオフセット時間が設定されているかどうかを調べ（ステップ５０４）、オフセット時間が設定されていなければ、車載装置１のモバイルＩＯモードの終了を待ち（ステップ５１２）、ステップ５０２からの処理に戻る。
【００４４】
一方、車載装置１の時計装置１０７に、時刻管理アプリケーション１１３によってオフセット時間が設定されていれば（ステップ５０４）、表示装置１０２に表示される時刻への注意を喚起する音声メッセージを音声入出力装置１０３から出力する（ステップ５０６）。
【００４５】
ここで、ステップ５０６で出力する音声メッセージは、たとえば、「モバイル装置の時計の時刻が表示されます。車載装置の時計に行った時刻調整は反映されません。」といった内容のものとする。
【００４６】
そして、車載装置１のモバイルＩＯモードの終了を待ち（ステップ５０８）、表示装置１０２に表示される時刻が、車載装置１の時計装置１０７で管理している現在時刻に復帰することを案内する音声メッセージを音声入出力装置１０３から出力し（ステップ５１０）、ステップ５０２からの処理に戻る。
【００４７】
ここで、ステップ５０８で出力する音声メッセージは、たとえば、「車載装置の時計の時刻が表示されます。車載装置の時計に行った時刻調整が反映されます。」といった内容のものとする。
【００４８】
以上、図５に示した表示時刻注意喚起処理について説明した。
なお、図５に示した表示時刻注意喚起処理は、ステップ５０４を、車載装置１の時計装置１０７に、時刻管理アプリケーション１１３によって設定されているオフセット時間がしきい値Ｔｈ超である場合にステップ５０６に進み、オフセット時間が設定されていないか、設定されているオフセット時間がしきい値Ｔｈ超でない場合にステップ５１２に進む処理としてもよい。
【００４９】
以上、本発明の実施形態について説明した。
このように本実施形態によれば、接続されたモバイル装置２が管理する現在時刻が、車載装置１の時計装置１０７が管理する現在時刻と異なる時刻である場合や、異なる時刻である可能性がある場合には、接続されたモバイル装置２から転送された表示画面を車載装置１が表示装置１０２に表示する際に、表示画面中に表される現在時刻に対する注意を喚起する音声メッセージを出力するので、ユーザの現在時刻の誤認を抑制することができる。
【００５０】
ここで、以上の実施形態において、表示時刻注意喚起処理として図４に示した処理を行う場合には、車載装置１の時計装置１０７は、オフセット時間の設定の機能を備えずに、ユーザなどから設定された時間を、当該設定時の時刻として計時した時刻を現在時刻として管理するものであってもよい。
【００５１】
また、以上の実施形態は、モバイル装置２から転送された表示画面と、車載装置１の表示装置１０２の縦横比などの形状が異なるために、モバイル装置２から転送された表示画面を車載装置１の表示装置１０２の全面に表示できず、表示装置１０２の表示領域の一部に、モバイル装置２から転送された表示画面を表示する場合には、以上の実施形態において行った、表示される時刻への注意を喚起する音声メッセージの出力と共に、または、表示される時刻への注意を喚起する音声メッセージの出力に代えて、車載装置１の表示装置１０２の表示領域中に生じる、モバイル装置２から転送された表示画面の周囲の余白部分に、車載装置１の時計装置１０７が管理している現在時刻の表示を行うようにしてもよい。
【００５２】
すなわち、たとえば、図６ａに示すように、車載装置１の表示装置１０２の表示領域が、モバイル装置２から転送された表示画面よりも横長である場合には、モバイル装置２から転送された表示画面３２０の表示の右側に、車載装置１の時計装置１０７が管理している現在時刻６０１を表示するようにする。また、図示するように、この車載装置１の時計装置１０７が管理している現在時刻と共に、時計装置１０７にセットされているオフセット時間６０２を表示するようにしてもよい。
【００５３】
または、たとえば、図６ｂに示すように、車載装置１の表示装置１０２の表示領域が、モバイル装置２から転送された表示画面よりも縦長である場合には、モバイル装置２から転送された表示画面の表示３２０の上側に、車載装置１の時計装置１０７が管理している現在時刻６０１を表示するようにする。
【００５４】
または、たとえば、図７ａに示すように、車載装置１の表示装置１０２が、表示領域が四角形でない異形の表示装置１０２である場合には、表示装置１０２の表示領域に収まるように、モバイル装置２から転送された表示画面と縦横比が等しい最大の四角形の領域を設定し、設定した四角形の領域に、モバイル装置２から転送された表示画面３２０を表示し、表示装置１０２の表示領域中の、四角形の領域以外の領域中に、車載装置１の時計装置１０７が管理している現在時刻６０１を表示するようにする。
【００５５】
または、たとえば、図７ｂに示すように、車載装置１の表示装置１０２が、２つの表示デバイスを用いる表示装置１０２である場合には、一方の表示デバイスにバイル装置から転送された表示画面３２０を表示し、他方の表示デバイスに車載装置１の時計装置１０７が管理している現在時刻６０１を表示するようにする。なお、この場合、図示するように、他方の表示デバイスには車載装置１のアプリケーションが出力する表示画面３１０も表示するようにしてよい。
【００５６】
これらのように、車載装置１の時計装置１０７が管理している現在時刻を表示することにより、モバイル装置２から転送された表示画面の表示を崩すことなく、車載装置１の時計手段が管理している現在時刻を表示し、ユーザの現在時刻の誤認を抑制することができる。
【００５７】
なお、以上のような車載装置１の時計装置１０７が管理している現在時刻の表示６０１は、車載装置１の時計装置１０７で管理している現在時刻と、モバイル装置２の時計部２０８で管理されている現在時刻との時間差が所定のしきい値Ｔｈ以上である場合や、車載装置１の時計装置１０７にオフセットが設定されている場合にのみ行うようにしてもよい。
【００５８】
なお、以上の実施形態は、車載装置１に代えて固定型の情報処理装置などの任意の情報処理装置を用いる場合にも同様に適用可能である。
【符号の説明】
【００５９】
１…車載装置、２…モバイル装置、１０１…入力装置、１０２…表示装置、１０３…音声入出力装置、１０４…端末インタフェース、１０５…オペレーティングシステム、１０６…記憶装置、１０７…時計装置、１０８…周辺装置、１１１…モバイルＩＯ処理アプリケーション、１１２…表示時刻注意喚起アプリケーション、１１３…時刻管理アプリケーション、１１４…各種アプリケーション、２０１…操作部、２０２…ディスプレイ、２０３…音声入出力部、２０４…外部インタフェース、２０５…モバイルオペレーティングシステム、２０６…記憶部、２０７…移動通信装置、２０８…時計部、２０９…周辺デバイス、２１１…メインメニューアプリケーション、２１２…移動電話アプリケーション、２１３…各種モバイルアプリケーション。
【図１】
0006400452.tif 000002
【図２】
0006400452.tif 000003
【図３】
0006400452.tif 000004
【図４】
0006400452.tif 000005
【図５】
0006400452.tif 000006
【図６】
0006400452.tif 000007
【図７】
0006400452.tif 000008